(57)【要約】      （修正有）【課題】マイク背面側からの音の回り込みを防止しつつマイク組み付け作業性のよいマイクホルダを提供する。【解決手段】開放端側に集音面を向けてマイクが装着される有底筒状の内筒３と、透音孔６を底面に有し、内筒３の外側に嵌着される有底筒状の外筒４と、内筒３と外筒４とを開放端側を同じ向きにして連結するヒンジ体７と、内筒３に装着されるマイクのリード線を引き出すために内筒３の側壁の一部を内筒３底面まで切り欠かいて設けられた切り欠き部８と、を備えた。【選択図】図１
2014204179.tif 000002
【特許請求の範囲】
【請求項１】
開放端側に集音面を向けてマイクが装着される有底筒状の内筒と、透音孔を底面に有し、前記内筒の外側に嵌着される有底筒状の外筒と、前記内筒と前記外筒とを開放端側を同じ向きにして連結するヒンジ体と、前記内筒に装着されるマイクのリード線を引き出すために前記内筒の側壁の一部を前記内筒底面まで切り欠かいて設けられた切り欠き部と、を備えたことを特徴とするマイクホルダ。
【請求項２】
前記内筒の底面は、前記マイク背面から導出されている前記リード線の引き出し用空間分だけ一段深く刳り抜かれていることを特徴とする請求項１記載のマイクホルダ。
【請求項３】
前記内筒の基部の外周、前記外筒の外周、前記外筒底面の前記透音孔の周囲にそれぞれ環状のリブを設けたことを特徴とする請求項２記載のマイクホルダ。
【発明の詳細な説明】
【技術分野】
【０００１】
インターホン装置等に用いられる小型マイクを保持するマイクホルダに関するものである。
【背景技術】
【０００２】
従来より、この種のマイクホルダでは、特許文献１に示すように、有底筒状のホルダ本体に連設された蓋体を有し、ホルダ本体の底面に透音孔を開口して、マイクの集音面を透音孔側へ、マイク背面のリード線をホルダ本体の開放端側から引き出し、この上から蓋体を被せているマイクホルダがあり、このマイクホルダをインターホン装置のボディに設けられたマイク取り付け用の筒部に挿入固定したものがあった。
【先行技術文献】
【特許文献】
【０００３】
【特許文献１】特開平１０−２７１５９０号公報
【発明の概要】
【発明が解決しようとする課題】
【０００４】
しかしながら、この従来のものでは、リード線の収まりが悪く背面側に隙間が生じて、背面側から音が回り込み、音響結合を生じてハウリングが生じることがあった。
【課題を解決するための手段】
【０００５】
そこで、本発明は上記課題を解決するため、開放端側に集音面を向けてマイクが装着される有底筒状の内筒と、透音孔を底面に有し、前記内筒の外側に嵌着される有底筒状の外筒と、前記内筒と前記外筒とを開放端側を同じ向きにして連結するヒンジ体と、前記内筒に装着されるマイクのリード線を引き出すために前記内筒の側壁の一部を前記内筒底面まで切り欠かいて設けられた切り欠き部と、を備えたものとした。
【０００６】
また、前記内筒の底面は、前記マイク背面から導出されている前記リード線の取り出し用空間分だけ一段深く刳り抜かれているものとした。
【０００７】
また、前記内筒の基部の外周、前記外筒の外周、前記外筒底面の前記透音孔の周囲にそれぞれ環状のリブを設けたものとした。
【発明の効果】
【０００８】
本発明によれば、マイクホルダへのマイク組み付け作業時のマイク収まりもよく、内筒に外筒を被せる作業も容易に行えると共に、マイクの全周をマイクホルダで略隙間無く覆って、リード線取り出し部位付近の隙間を最小限にでき、さらに、内筒と外筒が嵌合するため、内筒と外筒の間の嵌合面積を広く確保でき、内筒と外筒の嵌合面からの音の回り込みを防止でき、マイク背面側からマイクへの音の回り込みを防止してハウリングの発生を抑制することができる。
【０００９】
また、内筒基部と外筒の外周および外筒の透音孔の周囲にそれぞれ環状のリブを設けているため、外筒の外周および外筒の透音孔の周囲の環状のリブによって、正面側からの音の侵入を遮り、また、内筒基部の環状のリブによって背面側からの音の侵入を遮ることができるものである。
【図面の簡単な説明】
【００１０】
【図１】本発明の一実施形態の展開状態の正面側の斜視図
【図２】同一実施形態の展開状態の背面側の斜視図
【図３】同一実施形態の展開状態の正面図
【図４】同一実施形態の展開状態の背面図
【図５】同一実施形態の展開状態の右側面図
【図６】同一実施形態の展開状態の左側面図
【図７】同一実施形態の展開状態の平面図
【図８】同一実施形態の展開状態の底面図
【図９】同一実施形態の展開状態のＡ−Ａ断面図
【図１０】同一実施形態の組み付け時の作業を説明するための図
【図１１】同一実施形態の使用状態の斜視図
【図１２】同一実施形態の使用状態の断面図
【図１３】同一実施形態のインターホン装置のボディに固定した状態の要部断面図
【発明を実施するための形態】
【００１１】
次に、本発明の一実施形態を図面に基づいて説明する。
１は展開状態のマイクホルダで、小型のマイク２が収められる内筒３と、内筒３の外側に密接して嵌着される外筒４とで構成されている。ここで、マイク２は、一面側を集音面とし、他面側に音響信号を取り出すリード線２ａが接続されているものとしている。
【００１２】
内筒３は上端が開放された有底筒状で、内筒３はマイク２の外径と略同一の内径を有し、内筒３の高さはマイク２の高さと略同一の高さに形成され、底部側に内筒３より一回り外径の大きな基部５を有している。
【００１３】
外筒４は上端が開放されて底面に透音孔６が開口された有底筒状で、内筒３の外径と略同一の内径を有し、外筒４の高さは内筒３の高さと略同一の高さに形成されている。
【００１４】
内筒３と外筒４とは、共に開放端を同じ向きに向けた状態で内筒３の基部５と外筒の外周とがヒンジ体７によって一体に連結されている。ここで、マイクホルダ１は、ゴム等の弾性を有した樹脂系材料によって一体に成形されているものである。
【００１５】
内筒３の側壁のうち、ヒンジ体７が形成された位置と重ならない位置（例えばヒンジ体７が形成された位置と９０°の角度を有した位置が好ましい）には、内筒３に装着されたマイク２のリード線２ａを引き出すための切り欠き部８が設けられている。
【００１６】
内筒３の底面は、マイク２の背面から導出されているリード線２ａを外部へ引き出すために、リード線２ａのマイク２からの突出高さ分だけ一段深く刳り抜かれている刳り抜き部９が設けられている。
【００１７】
切り欠き部８位置に対応する基部５には、リード線２ａを外部に引き出すための溝部１０が、刳り抜き部９から基部５の外周端に渡って刳り抜かれて設けられている。ここで、溝部１０の幅はリード線２ａの幅と略同一としていると共に、溝部１０の深さもリード線２ａの高さと略同一として、リード線２ａを引き出すために必要最小限の開口面積となるようにしている。また、溝部１０の底面と刳り抜き部９の底面とは同じ深さとしており、刳り抜き部９より一段高い内筒３底面にマイク２のリード線２ａのない背面が当接可能としている。
【００１８】
内筒３の外周上端には、外筒４を嵌着する際に挿入を誘導するための面取り部１１が設けられ、内筒３の基部５の上端側外周には、環状のリブ１２が設けられ、内筒３の基部４の背面側には、一段背面側に突出した突出面１３が設けられている。
【００１９】
外筒４の内周上端には、内筒３に嵌着する際に挿入を誘導するための面取り部１４が設けられ、外筒４の背面側の透音孔６の周囲には、環状のリブ１５が設けられ、外筒４の上端側外周には、環状のリブ１６が設けられている。ここで、内筒３の基部５の外径と、外筒４の外径とは略同一径としており、それぞれに設けられている環状のリブ１２、１６も同一突出寸法としている。
【００２０】
外筒４の背面側上端外周には、後述するインターホン装置のボディ１７に設けられた筒状のマイク固定筒１８への挿入を誘導するための面取り部１９が設けられている
【００２１】
そして、このマイクホルダ１にマイク２を組み付ける際には、図１０に示すように、先ずマイク２の集音面を内筒３の開放端側、マイク２のリード線２ａが導出された面を内筒３の底面側を向けた状態で、リード線２ａが内筒３の切り欠き部８、刳り抜き部９、溝部１０に嵌り込むように、マイク２の背面が内筒３の底面に当接するまでマイク２を内筒３に押し入れる。
【００２２】
そして、外筒４を１８０°回転させて外筒４の上端が内筒３の基部５に突き当たるまで外筒４を内筒３に被せ、図１１、図１２に示すように、マイク２の集音面が外筒４の透音孔６から露出し、マイク２の集音面以外の面は内筒３によって覆われる。
【００２３】
このとき、外筒４は内筒３とヒンジ体７によって一体に連結されているため、小さな部品である内筒３および外筒４がばらけることによる紛失等がなく、また、マイク２のリード線２ａが溝部１０に収まっているため、外筒４を被せる作業時にリード線２ａの取り回しに注意せずとも容易に外筒４を被せることができ、作業効率を向上することができる。
【００２４】
このようにして、マイクホルダ１へのマイク２組み付け作業時のマイク２収まりもよく、内筒３に外筒４を被せる作業も容易に行えると共に、マイク２の全周をマイクホルダ１で略隙間無く覆って、リード線２ａ取り出し部位付近の隙間を最小限にでき、さらに、内筒３と外筒４が嵌合するため、内筒３と外筒４の間の嵌合面積を広く確保でき、内筒３と外筒４の嵌合面からの音の回り込みを防止でき、マイク２背面側からマイク２への音の回り込みを防止してハウリングの発生を抑制することができる。
【００２５】
ここで、図１３に示すように、インターホン装置のボディ１７を構成する前ケース２０には、マイク２に外部の音を通過させる透音穴２１が開口され、この前ケース２０の透音穴２１の背面側にはマイク２を装着したマイクホルダ１が挿入されるマイク固定筒１８が立設されている。
【００２６】
そして、マイク２を装着したマイクホルダ１をマイク固定筒１８にマイクホルダ１の先端が突き当たるまで挿入し、インターホン装置の組み立てによってマイクホルダ１の背面の突出面１３がインターホン装置の電装基板２２やボディ１７を構成する後ケース２３等によって押圧され、固定される。
【００２７】
この固定状態において、内筒３の基部５と外筒４の外周および外筒の透音孔６の周囲にそれぞれ環状のリブ１２、１５、１６を設けているため、外筒４の外周および外筒４の透音孔６の周囲の環状のリブ１５、１６によって、インターホン装置の透音穴２０側からマイク固定筒１８とマイクホルダ１の間への音の侵入を遮り、また、内筒３の基部５の環状のリブ１２によってマイクホルダ１の背面側からの音の侵入を遮ることができるものである。
【００２８】
なお、本発明は上記一実施形態に限定されるものではなく、発明の要旨を変更しない範囲で改変可能なものである。
【符号の説明】
【００２９】
１  マイクホルダ
２  マイク
２ａ  リード線
３  内筒
４  外筒
５  基部
６  透音孔
７  ヒンジ体
８  切り欠き部
９  刳り抜き部
１０  溝部
１２  環状のリブ
１５  環状のリブ
１６  環状のリブ
【図１】
2014204179.tif 000003
【図２】
2014204179.tif 000004
【図３】
2014204179.tif 000005
【図４】
2014204179.tif 000006
【図５】
2014204179.tif 000007
【図６】
2014204179.tif 000008
【図７】
2014204179.tif 000009
【図８】
2014204179.tif 000010
【図９】
2014204179.tif 000011
【図１０】
2014204179.tif 000012
【図１１】
2014204179.tif 000013
【図１２】
2014204179.tif 000014
【図１３】
2014204179.tif 000015